【手続補正書】
【提出日】平成17年11月18日(2005.11.18)
【手続補正１】
【補正対象書類名】明細書
【補正対象項目名】全文
【補正方法】変更
【補正の内容】
【書類名】  明細書
【発明の名称】  情報通信体の製造方法
【特許請求の範囲】
【請求項１】  折り線を介して連接された複数の葉片を折り畳み、任意の対向面を、その対向面の各面に形成された疑似接着媒体を介して加圧のみにより剥離可能に疑似接着してなる情報通信体の製造方法において、疑似接着される前記対向面への疑似接着媒体の形成に際して、該対向面を連接する折り線に沿って、その両側に、疑似接着媒体が形成されていない非接着域を設けたことを特徴とする情報通信体の製造方法。
【発明の詳細な説明】
【０００１】
【発明の属する技術分野】
本発明は、ダイレクトメール（ＤＭ）をはじめ葉書、往復葉書、封書等に利用可能な情報通信体の製造方法に関する。詳しくは、本発明は、見掛けは通常のＤＭ、葉書、往復葉書、封書であるにもかかわらず、多層に折り畳まれたシートの葉片が剥離可能に積層されているため、多量の情報を隠蔽状態で伝達することができる情報通信体の製造方法に関する。
【０００２】
【従来の技術】
近年、葉書等の郵便物に情報が記載された複数の葉片を折り畳んで一体化し、多量の情報を郵送可能にした情報通信体が利用されるようになった。
そのような情報通信体として、本出願人はすでに特開平０２−２００４９８「情報積層体用素材と同素材を用いた情報積層体及びその製造方法」を提供した。しかし前記発明によると、疑似接着媒体の疑似接着に加圧と加熱の両手段を必要とし、それぞれの手段を備えた複雑な構造の大掛かりな装置が必要になる。そこで、特に複雑な装置を必要とする加熱手段を省き、簡素な加圧装置のみで疑似接着することが可能な疑似接着媒体を使用した情報通信体が考えられている（例えば、特許文献１参照）。
【０００３】
【特許文献１】  実開平４−２４３８６号公報
【０００４】
【発明が解決しようとする課題】
前記加圧手段で疑似接着する媒体として、ＯＰワニス系、紫外線硬化系、溶剤蒸発乾燥系の樹脂被膜を好適に使用することができる。前記樹脂被膜は各種コーター方式等により容易に情報通信体用用紙の疑似接着予定面に形成することが可能であり、この場合、前記樹脂被膜形成後に樹脂被膜同志が対向するよう情報通信体用用紙を折り込み、樹脂被膜同志を密着させて強圧を掛けることにより、樹脂被膜同志が剥離可能に疑似接着される。
【０００５】
ところで、例えば折り線を介して連接された葉書大寸法の２葉片を折り畳み、疑似接着被膜同志を対向させた情報通信体用用紙を加圧すると、圧力は葉片四方の各縁辺へと伝わり、そこから外へと解放される。しかし、折り線により連接されている２つ折り形態の折り部分は袋閉じ状態にあるため掛けられる圧力の逃げ場がなく、結局、折り部分の紙材が破壊されてしまうのである。この現象は、前記のような２つ折り形態に限らず、３つ折りやそれ以上の葉片を折り畳む場合に形成される複数の折り部分全般に発生する。
また前記加圧に際して、折り部分の紙材の破壊までに至らないまでも、掛けられる圧力が折り部分に集積するため、その部分に形成されている対向する疑似接着媒体同志が完全接着してしまい、剥離展開後の印刷面表面における紙材の破壊や印刷インクの転移等の問題が頻繁に発生する。
本発明はかかる問題に鑑み、加圧により本体が破壊されることのない情報通信体の製造方法を提供するものである。
【０００６】
【課題を解決するための手段】
上記目的を達成するために、本発明の情報通信体の製造方法は、折り線を介して連接された複数の葉片を折り畳み、任意の対向面を、その対向面の各面に形成された疑似接着媒体を介して加圧のみにより剥離可能に疑似接着してなる情報通信体の製造方法において、疑似接着される前記対向面への疑似接着媒体の形成に際して、該対向面を連接する折り線に沿って、その両側に、疑似接着媒体が形成されていない非接着域を設けたことを特徴としている。
【０００７】
本発明が特に効果を発揮する疑似接着媒体は、情報通信体用用紙に塗布された場合に連続的で厚みのある樹脂被膜を形成する疑似接着媒体であるが、必ずしもその必要はなく、非連続的な樹脂被膜でも構わない。そのような樹脂は既述の通りであるが、これら樹脂被膜の情報通信体用紙への形成時期は、情報通信体用用紙に各種印刷が施される前であっても後であってもよく、また樹脂被膜の形成時期の前後に渡り印刷が施されても構わない。
【０００８】
前記構成において、折り込まれた情報通信体用用紙に掛けられる圧力は、葉片四方の各縁辺へと伝わり、そこから外へと解放されるが、その場合に折り線により袋閉じになった縁辺へ伝わる圧力は、折り線に沿って形成された、疑似接着媒体が形成されていない非接着域で解放され、緩和されるのである。
【０００９】
【作用】
前記構成において、疑似接着媒体が形成されていない、折り線に沿った非接着域は、折り畳み後に加圧しても密着することはない。従って、情報通信体用用紙の折り込みにより疑似接着予定面が対向密着しても、この非接着域は密着していないため、この部分に伝わる圧力はこの僅かな部分で解放され、緩和される。
【００１０】
【発明の実施の形態】
以下、発明の実施の形態を、実施例に基づき、図面を参照して説明する。
図１（Ａ）、（Ｂ）は、本発明における最も基本的な２つ折り形態の葉書用紙の表面図と裏面図をそれぞれ表す。図２は、２つ折り後に疑似接着した図１の葉書用紙の断面図を表す。また、図３は、加圧により折り部で破断される従来例の断面図を表す。
図１（Ａ）において、本実施例の葉書用紙Ｓは、第１葉片１と第２葉片２が折り線３を介して連接されて構成されている。第１葉片１表面には郵便切手欄や郵便番号枠の他に受取人の住所氏名４が記載され、また第２葉片２表面には広告宣伝等の情報５が記載されている。さらに、図１（Ｂ）において、第１葉片１と第２葉片２の裏面には受取人の個人情報６が記載されており、折り線３に沿って、その両側に、疑似接着媒体が形成されていない非接着域７が設けられ、図中、非接着域７以外の斜線で示される区域が、疑似接着媒体が形成されている部分８である。
【００１１】
前記のように非接着域７と疑似接着媒体が形成されている部分８とが設けられた葉書用紙Ｓは、第１葉片１と第２葉片２の裏面同志が対向するように折り線３で折り畳まれ、加圧されることにより、図２に示すように疑似接着媒体同志が剥離可能に密着し、葉書Ｘとして完成される。
この際、非接着域７が圧力を解放して緩和するため、図３に示す従来例のように加圧により折り部分で破断されることはない。
【００１２】
なお、本発明は上記実施例に限られることはない。
例えば葉書用紙は、２つ折り以上の３つ折り形態でもよく、またそれ以上の折り数の折り形態であっても構わない。葉書用紙の折り様式に関しても、蛇腹折り、巻き折り、観音開き折り、さらにそれらの複合折りが考えられるが、何れの場合も折り線に沿って前記のような非接着域を設ければよい。
【００１３】
【発明の効果】
本発明によれば、折り線を介して連接された複数の葉片を折り畳み、任意の対向面を、その対向面の各面に形成された疑似接着媒体を介して加圧のみにより剥離可能に疑似接着してなる情報通信体の製造において、前記加圧に際して、折り畳みにより形成される折り部分で紙材の破壊が発生することがなくなる。また、前記折り部分で疑似接着媒体同志が加圧により誤って完全接着することがあり得ないので、圧力が集積する該折り部分で剥離展開後に通常発生しうる印刷面表面における紙材の破壊や印刷インクの転移等の問題が一切なくなる。
従って、本発明によれば、素人でも簡単に大量の情報通信体を前記問題の発生なしに製造することが可能である。
【図面の簡単な説明】
【図１】
（Ａ）及び（Ｂ）は本発明における最も基本的な２つ折り形態の葉書用紙の表面図と裏面図をそれぞれ表す。
【図２】
２つ折り後に疑似接着した図１の葉書用紙の断面図を表す。
【図３】
加圧により折り部で破断される従来例の断面図を表す。
【符号の説明】
Ｓ  葉書用紙
Ｘ  葉書
１  第１葉片
２  第２葉片
３  折り線
４  受取人の住所氏名
５  広告宣伝等の情報
６  受取人の個人情報
７  非接着域
８  疑似接着媒体が形成されている部分